(57)【要約】【課題】刈刃の交換をすることなく、フェンスや壁面等の草を取り除く作業を容易且つ効率よく行うことができる刈払機を提供することである。【解決手段】出力軸１４に取り付けられた刃受け金具１７との間に刈刃１５を挟み込んで固定する刃押え金具１８を基盤３２として構成し、この基盤３２の刈刃１５とは反対側を向く固定面３２ａに３本のワイヤ３３ａ，３３ｂ，３３ｃを固定する。各ワイヤ３３ａ，３３ｂ，３３ｃの両端を出力軸１４を中心として点対称の位置に固定するとともに、各ワイヤ３３ａ，３３ｂ，３３ｃを互いに周方向に等間隔にずらして並べて配置する。各ワイヤ３３ａ，３３ｂ，３３ｃの中間部を固定面３２ａから突出する湾曲形状に形成し、出力軸１４とともに回転するワイヤ３３ａ，３３ｂ，３３ｃによりフェンスに巻き付いたツル等の被切断部材を切断する。【選択図】図２
2013059289.tif 000002
【特許請求の範囲】
【請求項１】
操作棹の先端に取り付けられたケースから突出するとともに先端側に刈刃が取り付け可能な出力軸と、前記操作棹に取り付けられ前記出力軸を回転駆動する駆動源とを備えた携帯式の刈払機であって、
前記出力軸の先端側に取り付けられ、前記出力軸の軸方向に突出するとともに、周方向に互いに離間して配設される複数の突出部を有することを特徴とする刈払機。
【請求項２】
前記突出部は、屈曲して設けられることを特徴とする請求項１記載の刈払機。
【請求項３】
前記出力軸の先端側に取り付けられ、前記出力軸とともに回転する基盤をさらに備え、
前記突出部は、前記基盤の前記刈刃とは反対側を向く固定面に周方向に並べて設けられ、それぞれ両端が前記基盤に固定されるとともに中間部が前記固定面から突出する複数の線材であり、
回転する複数の前記線材により被切断物を切断可能であることを特徴とする請求項１または２記載の刈払機。
【請求項４】
前記出力軸の前記刈刃よりも前記ケース側に取り付けられる刃受け金具と、前記出力軸の前記刈刃よりも先端側に取り付けられ前記刃受け金具との間に前記刈刃を挟み込んで固定する刃押え金具とを備え、前記基盤が前記刃押え金具により構成されていることを特徴とする請求項３記載の刈払機。
【請求項５】
前記出力軸の前記刈刃よりも前記ケース側に取り付けられる刃受け金具と、前記出力軸の前記刈刃よりも先端側に取り付けられ前記刃受け金具との間に前記刈刃を挟み込んで固定する刃押え金具とを備え、前記基盤が前記刃押え金具に対して前記刈刃とは反対側に重ねて配置されていることを特徴とする請求項３記載の刈払機。
【請求項６】
前記線材は、それぞれ両端が前記出力軸の軸心を中心とした点対称の位置において前記固定面に固定されるとともに中間部が湾曲形状に形成され、互いに周方向に等間隔にずれて配置されていることを特徴とする請求項３〜５のいずれか１項に記載の刈払機。
【請求項７】
前記線材はワイヤであることを特徴とする請求項３〜６のいずれか１項に記載の刈払機。
【請求項８】
刈払機の操作桿の先端に取り付けられたケースから突出する出力軸に取り付け可能であり、前記出力軸の軸方向に突出するとともに、周方向に互いに離間して配設される複数の突出部を有することを特徴とする切断ユニット。
【請求項９】
刈払機の操作棹の先端に取り付けられたケースから突出する出力軸に取り付けられる基盤と、
前記基盤の前記ケースとは反対側を向く固定面に周方向に並べて設けられ、それぞれ両端が前記基盤に固定されて中間部が前記固定面から突出する複数の線材とを有し、
回転する複数の前記線材により被切断物を切断可能であることを特徴とする請求項８に記載の切断ユニット。
【発明の詳細な説明】
【技術分野】
【０００１】
本発明は、操作棹の先端に設けた刈刃を駆動源により回転駆動して雑草や下草等の被切断物を刈り払う携帯式の刈払機に関する。
【背景技術】
【０００２】
田畑の畦道や山林等に生えた雑草や下草などを刈り払うために、携帯式の刈払機が使用されている。刈払機は中空棒状に形成された操作棹を備えており、操作棹の先端にはギヤケースが取り付けられ、このギヤケースから突出する出力軸に刈刃が取り付けられている。操作棹の後端には駆動源が取り付けられ、刈刃はこの駆動源により回転駆動される。駆動源としてはエンジンや電動モータ等が用いられ、駆動源の回転は操作棹の内部に収容された伝達軸とギヤケース内に収容されたベベルギヤ対とを介して出力軸に伝達される。このような刈払機としては、駆動源を背負い架台に搭載するようにした背負い式、操作棹に取り付けられたループ状のベルトを肩に掛けるようにした肩掛け式とがあり、何れの場合も操作棹に取り付けられたハンドルを手に持って作業が行われる。
【０００３】
刈払機に用いられる刈刃としては、チップソー等の丸鋸タイプや径方向外方に突出する２〜４枚程度の角刃を備えた異形タイプなどの金属製のものと、ナイロンコードを用いたナイロンカッターとがあり、使用場所や環境に応じて各種の刈刃が使い分けられている。
【０００４】
チップソーや異形３枚刃等の金属製の刈刃は、硬い草を効率よく刈り払うことができるので広く用いられている。しかしながら、壁際や道路上の草を刈り払う作業やフェンスに巻き付いているツルを取り除く作業は、刃の破損のおそれがあるため、金属製の刈刃で行うことは困難である。
【０００５】
そのため、壁際や道路、フェンス等など、金属製の刈刃は刃の破損のおそれがある場所では、ナイロンカッターが刈刃として用いられる。この場合、例えば特許文献１に示されるように、出力軸にはナイロンコードを収容したリールケースが取り付けられ、リールケースから引き出されたナイロンコードによりナイロンカッターが構成される。
【先行技術文献】
【特許文献】
【０００６】
【特許文献１】特開平１−４１２８２号公報
【発明の概要】
【発明が解決しようとする課題】
【０００７】
しかしながら、ナイロンカッターは細いナイロンコードを回転させて草などの被切断物を切断する構成であるので、フェンスに巻き付いたツルや壁面に取り付いた草をナイロンカッターにより取り除こうとしても、ナイロンカッターはそのツルや草の一部しか切断することができない。そのため、ナイロンカッターを用いてフェンスや壁面からツルや草を取り除くためには、何度も位置を変えてツルや草を切断し、場合によっては手でツルや草を剥がす作業が必要となる。また、ナイロンカッターはナイロンコードがフェンス等に当たると切れてしまうため、その都度、ナイロンコードをリースケースから引き出す必要があり、その作業効率はよくなかった。
【０００８】
また、ナイロンカッターは小石などを飛散させるおそれが高いので、住宅街での刈り払い作業には主にチップソーが用いられることになる。そのため、フェンスや壁面のツルや草を取り除く際には、刈刃をチップソーからナイロンカッターに交換する必要があり、その作業は煩雑であった。
【０００９】
本発明の目的は、刈刃の交換をすることなく、フェンスや壁面等の草を取り除く作業を容易且つ効率よく行うことができる刈払機を提供することにある。
【課題を解決するための手段】
【００１０】
本発明の刈払機は、操作棹の先端に取り付けられたケースから突出するとともに先端側に刈刃が取り付け可能な出力軸と、前記操作棹に取り付けられ前記出力軸を回転駆動する駆動源とを備えた携帯式の刈払機であって、前記出力軸の先端側に取り付けられ、前記出力軸の軸方向に突出するとともに、周方向に互いに離間して配設される複数の突出部を有することを特徴とする。
【００１１】
本発明の刈払機は、前記突出部は、屈曲して設けられることを特徴とする。本発明の刈払機は、前記出力軸の先端側に取り付けられ、前記出力軸とともに回転する基盤をさらに備え、前記突出部は、前記基盤の前記刈刃とは反対側を向く固定面に周方向に並べて設けられ、それぞれ両端が前記基盤に固定されるとともに中間部が前記固定面から突出する複数の線材であり、回転する複数の前記線材により被切断物を切断可能であることを特徴とする。
【００１２】
本発明の刈払機は、前記出力軸の前記刈刃よりも前記ケース側に取り付けられる刃受け金具と、前記出力軸の前記刈刃よりも先端側に取り付けられ前記刃受け金具との間に前記刈刃を挟み込んで固定する刃押え金具とを備え、前記基盤が前記刃押え金具により構成されていることを特徴とする。本発明の刈払機は、前記出力軸の前記刈刃よりも前記ケース側に取り付けられる刃受け金具と、前記出力軸の前記刈刃よりも先端側に取り付けられ前記刃受け金具との間に前記刈刃を挟み込んで固定する刃押え金具とを備え、前記基盤が前記刃押え金具に対して前記刈刃とは反対側に重ねて配置されていることを特徴とする。本発明の刈払機は、前記線材は、それぞれ両端が前記出力軸の軸心を中心とした点対称の位置において前記固定面に固定されるとともに中間部が湾曲形状に形成され、互いに周方向に等間隔にずれて配置されていることを特徴とする。本発明の刈払機は、前記線材はワイヤであることを特徴とする。
【００１３】
本発明の切断ユニットは、刈払機の操作桿の先端に取り付けられたケースから突出する出力軸に取り付け可能であり、前記出力軸の軸方向に突出するとともに、周方向に互いに離間して配設される複数の突出部を有することを特徴とする。本発明の切断ユニットは、刈払機の操作棹の先端に取り付けられたケースから突出する出力軸に取り付けられる基盤と、前記基盤の前記ケースとは反対側を向く固定面に周方向に並べて設けられ、それぞれ両端が前記基盤に固定されて中間部が前記固定面から突出する複数の線材とを有し、回転する複数の前記線材により被切断物を切断可能であることを特徴とする。
【発明の効果】
【００１４】
本発明によれば、出力軸の刈刃よりも先端側に基盤を取り付けるとともに、基盤の刈刃とは反対側を向く固定面に、それぞれ両端が基盤に固定され中間部が固定面から突出する複数の線材を周方向に並べて設け、出力軸とともに回転するこれらの線材により被切断物を切断することができるようにしたので、広い場所においては刈刃により刈り払い作業を行うとともに、フェンスや壁面の草等を取り除く際には、刈刃の交換をすることなく、線材によりフェンスや壁面の草等を容易且つ効率よく切断し、取り除くことができる。
【図面の簡単な説明】
【００１５】
【図１】本発明の一実施の形態である刈払機の斜視図である。
【図２】刈払機の先端側部分の要部の一部切り欠き断面図である。
【図３】出力軸に取り付けられた切断ユニットの側面図である。
【図４】図３に示す切断ユニットの底面図である。
【図５】フェンスに巻き付いたツルを切断ユニットにより切断する際の刈払機の使用状態を示す説明図である。
【図６】フェンスに巻き付いたツルを切断ユニットにより切断している状態を示す説明図である。
【図７】出力軸に刈刃を取り付けずに切断ユニットのみを取り付けた状態を示す説明図である。
【図８】図７の一部切り欠き断面図である。
【図９】図４に示す切断ユニットの変形例であって、切断ユニットの基盤を刃押え金具とは別体に形成した場合を示す断面図である。
【発明を実施するための形態】
【００１６】
以下、本発明の一実施の形態について、図面を用いて詳細に説明する。
【００１７】
図１に示す刈払機１１は携帯式の刈払機であり、例えば、田畑の畦道や山林等に生えた雑草や下草などを刈り払う際に使用される。
【００１８】
この刈払機１１は操作棹１２を有しており、この操作棹１２は中空棒状の部材により形成されている。操作棹１２の先端にはギヤケース１３が取り付けられ、図２に示すように、このギヤケース１３から突出する出力軸（駆動軸）１４にカッターとも呼ばれる刈刃１５が取り付けられている。
【００１９】
出力軸１４の基端部には略円板状に形成されたベース１６が軸心において固定されている。ベース１６のギヤケース１３とは反対側を向く面は支持面１６ａとなっており、この支持面１６ａにはギヤケース１３とは反対側（出力軸１４の先端側）に向けて突出する環状の凸部１６ｂが一体に設けられている。
【００２０】
出力軸１４にはベース１６に重ねて刃受け金具１７が取り付けられている。刃受け金具１７は鋼板等により円板状に形成されており、その軸心に設けられた貫通孔１７ａがベース１６の凸部１６ｂに嵌め合わされることにより、ベース１６の支持面１６ａに出力軸１４と同軸に配置されている。刃受け金具１７のギヤケース１３とは反対側を向く面は受け面１７ｂとなっており、この受け面１７ｂの外周縁にはフランジ部１７ｃが一体に設けられ、このフランジ部１７ｃがギヤケース１３の外周縁を覆っている。
【００２１】
刈刃１５は鋼板等の金属板により外周部に多数の鋸刃１５ａを備えた円板状に形成ており、つまり刈刃１５は丸鋸タイプとなっている。刈刃１５は刃受け金具１７にギヤケース１３とは反対側に重ねて出力軸１４に取り付けられ、その軸心に設けられた取付孔１５ｂがベース１６の凸部１６ｂに嵌め合わされることにより出力軸１４と同軸に配置されている。
【００２２】
出力軸１４には、さらに刈刃１５よりも出力軸１４の先端側に位置して刃押え金具１８が取り付けられている。刃押え金具１８は、鋼材等により円板状に形成されており、その軸心に設けられた貫通孔１８ａにおいて出力軸１４に取り付けられている。刃押え金具１８のギヤケース１３の側を向く軸方向端面は押え面１８ｂとなっており、この押え面１８ｂの軸心にはギヤケース１３とは反対側に向けて凹む環状の凹部１８ｃが設けられている。凹部１８ｃの軸方向の深さ寸法はベース１６の凸部１６ｂの軸方向への高さ寸法よりも大きくなっており、ベース１６の凸部１６ｂは刃押え金具１８の凹部１８ｃに係合している。刃押え金具１８が出力軸１４に取り付けられると、刈刃１５は刃受け金具１７の受け面１７ｂと刃押え金具１８の押え面１８ｂとの間に挟み込まれる。
【００２３】
出力軸１４の先端部には雄ねじ１４ａが一体に設けられており、この雄ねじ１４ａにはナット１９がねじ結合されている。そして、このナット１９が雄ねじ１４ａにねじ込まれることにより、刃受け金具１７と刃押え金具１８との間に挟み込まれて刈刃１５が出力軸１４に固定されるようになっている。
【００２４】
ベース１６の凸部１６ｂは、二方幅やキー溝、コッター等の周り止め部を備えた形状に形成されており、刃受け金具１７と刃押え金具１８の貫通孔１７ａ，１８ａや刈刃１５の取付孔１５ｂは、凸部１６ｂの周り止め部に係合可能な形状に形成されている。これにより、刃受け金具１７、刃押え金具１８および刈刃１５はベース１６つまり出力軸１４に対して周り止めされ、出力軸１４とともに回転することができる。
【００２５】
図１に示すように、操作棹１２の後端には駆動源としてのエンジン２１が取り付けられている。このエンジン２１は２サイクルのガソリンエンジンであり、その出力は操作棹１２の内部に回転自在に収容された図示しない伝達軸を介してギヤケース１３に伝達される。ギヤケース１３には図示しないベベルギヤ対（傘歯車対）が収容され、伝達軸の回転はベベルギヤ対を介して出力軸１４に伝達される。これにより、エンジン２１が作動すると、伝達軸とベベルギヤ対とを介してエンジン２１の出力が出力軸１４に伝達され、エンジン２１により出力軸１４とともに刈刃１５が回転駆動される。このように、この刈払機１１は操作棹１２により刈刃１５とエンジン２１とが連結されたアーム連結タイプとなっている。
【００２６】
図示はしないが、操作棹１２には肩掛バンドが装着され、この肩掛バンドにより刈払機１１は肩掛け式として使用される。また、操作棹１２のエンジン２１側に軸上に沿ってハンドル部が設けられ、長手方向中央部分にはループハンドル２２が取り付けられ、作業者は肩掛バンドを肩に掛けるとともにハンドル部とループハンドル２２を両手で把持することにより、刈払機１１を携帯して、草の刈り払い作業を行うことができる。さらに、操作棹１２には刈刃１５の外周側に位置してガード板２３が取り付けられ、このガード板２３により刈刃１５が刈り払った草が作業者の側に飛ぶことが防止される。
【００２７】
この刈払機１１は、金属製の刈刃１５では刈り払い作業を行うことが困難であるフェンスのツルや壁面の草を取り除く作業を行うために、切断ユニット３１を備えている。この切断ユニット３１は、基盤３２と、この基盤に固定される３本の線材としてのワイヤ３３ａ，３３ｂ，３３ｃとで構成されている。本実施の形態においては、切断ユニット３１の基盤３２は刃押え金具１８により構成されている。つまり、本実施の形態においては、切断ユニット３１の基盤３２は刃押え金具１８と一体とされている。
【００２８】
刃押え金具１８により構成された基盤３２の刈刃１５とは反対側を向く面は、出力軸１４の軸方向に垂直且つ円形の固定面３２ａとなっており、この固定面３２ａに３本のワイヤ３３ａ，３３ｂ，３３ｃが固定されている。これらのワイヤ３３ａ，３３ｂ，３３ｃとしては、例えばピアノ線を用いることができる。
【００２９】
ワイヤ３３ａの長手方向の一端は、出力軸１４から所定距離だけ径方向外側に離れた位置において、埋め込みや溶接等の手段により固定面３２ａに固定されている。また、ワイヤ３３ａの長手方向の他端は、その一端が固定面３２ａに固定される位置に対して出力軸１４の軸心を中心として点対称の位置において、埋め込みや溶接等の手段により固定面３２ａに固定されている。
【００３０】
ワイヤ３３ｂは、その長手方向の一端が、ワイヤ３３ａの長手方向の一端が固定される位置に対して出力軸１４を中心とした周方向に６０度ずれた位置において、埋め込みや溶接等の手段により固定面３２ａに固定されている。また、ワイヤ３３ｂの長手方向の他端は、その一端が固定面３２ａに固定される位置に対して出力軸１４の軸心を中心として点対称の位置において、埋め込みや溶接等の手段により固定面３２ａに固定されている。
【００３１】
ワイヤ３３ｃは、その長手方向の一端が、ワイヤ３３ａの長手方向の一端が固定される位置に対して出力軸１４を中心としてワイヤ３３ｂとは反対側に向けて周方向に６０度ずれた位置において、埋め込みや溶接等の手段により固定面３２ａに固定されている。また、ワイヤ３３ｃの長手方向の他端は、その一端が固定面３２ａに固定される位置に対して出力軸１４の軸心を中心として点対称の位置において、埋め込みや溶接等の手段により固定面３２ａに固定されている。
【００３２】
このように、３本のワイヤ３３ａ，３３ｂ，３３ｃの固定面３２ａへの固定位置は互いに周方向に６０度ずれている。つまり、図３に示すように、３本のワイヤ３３ａ，３３ｂ，３３ｃは、それぞれ両端において固定面３２ａに固定され、軸方向からの平面視において固定面３２ａの径方向に沿うとともに、互いに出力軸１４を中心として周方向に等間隔にずれて並べて配置されている。
【００３３】
これらのワイヤ３３ａ，３３ｂ，３３ｃの固定面３２ａに固定された両端の間の中間部は、それぞれ放射線状に湾曲しており、固定面３２ａから刈刃１５とは反対側に向けて出力軸１４の先端よりも軸方向外側に達する位置にまで突出している。各ワイヤ３３ａ，３３ｂ，３３ｃの長さ寸法は同一となっており、これにより、各ワイヤ３３ａ，３３ｂ，３３ｃの中間部は出力軸１４の軸方向の延長線上において互いに接した状態で交差している。
【００３４】
エンジン２１により出力軸１４が回転駆動されると、各ワイヤ３３ａ，３３ｂ，３３ｃは出力軸とともに回転する。また、各ワイヤ３３ａ，３３ｂ，３３ｃの中間部は弾性変形自在である。
【００３５】
この刈払機１１は、出力軸１４に取り付けられた刈刃１５を用いて刈り払い作業を行うことができるとともに、金属製の刈刃１５では刈り払い作業を行うことが困難であるフェンスのツルや壁面の草を取り除く作業を行う際には、切断ユニット３１により当該作業を行うことができる。
【００３６】
図５に示すように、例えばフェンス４１に巻き付いたツル（被切断物）４２を切断してフェンス４１からツル４２取り除く作業を行う際には、刈刃１５ではなく切断ユニット３１を用いて作業が行われる。このとき、刈払機１１は、フェンス４１に対して刈刃１５が平行となるよう、つまり刈刃１５の軸方向がフェンス４１に垂直となるように配置される。そして、エンジン２１が作動して出力軸１４とともに切断ユニット３１が回転した状態で、ワイヤ３３ａ，３３ｂ，３３ｃが軸方向からフェンス４１に押し当てられる。
【００３７】
回転する切断ユニット３１のワイヤ３３ａ，３３ｂ，３３ｃが出力軸１４の軸方向に沿う方向からフェンス４１に押し付けられると、図６に示すように、ワイヤ３３ａ，３３ｂ，３３ｃは、その中間部がフェンス４１に沿った直線状に弾性変形する。フェンス４１に当接して直線状となったワイヤ３３ａ，３３ｂ，３３ｃの中間部とワイヤ３３ａ，３３ｂ，３３ｃの固定面３２ａとの固定部分との間の部分（図６において円Ａで囲んで示す部分）はツル４２に対して垂直となるので、ワイヤ３３ａ，３３ｂ，３３ｃのこの部分でツル４２を切断することができる。このとき、回転する３本のワイヤ３３ａ，３３ｂ，３３ｃがそれぞれ中間部の２箇所において連続してツル４２を切断することになるので、ツル４２を効率よく切断することができる。
【００３８】
また、フェンス４１に押し付けられたワイヤ３３ａ，３３ｂ，３３ｃの中間部はフェンス４１に沿って直線状となっているので、ワイヤ３３ａ，３３ｂ，３３ｃにより切断されたツル４２をワイヤ３３ａ，３３ｂ，３３ｃの直線状となった部分（図６中に範囲Ｂで示す部分）により、フェンス４１から引き剥がすことができる。このとき、回転する３本のワイヤ３３ａ，３３ｂ，３３ｃが連続してツル４２を引き剥がすことになるので、ツル４２を効率よくフェンス４１から引き剥がすことができる。
【００３９】
このように、この刈払機１１では、刃押え金具１８として構成された基盤３２の刈刃１５とは反対側を向く固定面３２ａに、中間部が固定面３２ａから突出する３本のワイヤ３３ａ，３３ｂ，３３ｃを周方向に並べて設けるようにしたので、これらのワイヤ３３ａ，３３ｂ，３３ｃにより、フェンス４１に巻き付いたツル４２や壁面を這う草等を容易に切断することができる。したがって、広い場所においては出力軸１４に取り付けた刈刃１５により刈り払い作業を行い、フェンス４１に巻き付くツル４２や壁面を這う草等を取り除く際には、刈刃１５を交換することなく、３本のワイヤ３３ａ，３３ｂ，３３ｃを備えた切断ユニット３１により、フェンスや壁面の草等を取り除く作業を行うことができる。これにより、この刈払機１１によりフェンスや壁面の草等を取り除く作業を容易にするともに、その作業効率を高めることができる。また、刈刃１５を用いることなくワイヤ３３ａ，３３ｂ，３３ｃによりフェンスや壁面の草等を取り除く作業を行うことができるので、刈刃１５を用いて当該作業を行う場合に比べて、その作業の安全性を高めることができる。
【００４０】
また、３本のワイヤ３３ａ，３３ｂ，３３ｃはそれぞれ屈曲した形状をしているため、草を絡めとりながら取り除く作業を容易に行うことができる。さらに、それぞれのワイヤ３３ａ，３３ｂ，３３ｃは両端が固定面３２ａに固定される構造としたため、ワイヤ３３ａ，３３ｂ，３３ｃの強度が向上し、太い草や蔓の切断作業をより効率的に行うことができる。
【００４１】
なお、この切断ユニット３１は、フェンス４１や壁面だけでなく、道路や床面などに生えた草等に対しても、道路や床面に刈刃１５を当てることなく、ワイヤ３３ａ，３３ｂ，３３ｃにより刈り払い作業を行うことができる。
【００４２】
図２〜図４に示すように、基盤３２の固定面３２ａには、フェンス等に押し付けられてワイヤ３３ａ，３３ｂ，３３ｃが弾性変形しても、ナット１９や出力軸１４の先端部がフェンスや壁面等に当接して摩耗することを防止するために、ガード壁４３が設けられている。ガード壁４３は出力軸１４と同軸の円筒状となっており、基盤３２つまり刃押え金具１８と一体に形成され、固定面３２ａから刈刃１５とは反対側に向けて突出している。ガード壁４３の軸方向への突出高さは、固定面３２ａからのナット１９の高さや固定面３２ａからの出力軸１４の突出高さよりも大きくされている。これにより、フェンス等に押し付けられてワイヤ３３ａ，３３ｂ，３３ｃが変形しても、ナット１９や出力軸１４の先端がフェンス等に接して摩耗することが防止される。
【００４３】
図７に示すように、この刈払機１１は、出力軸１４に刈刃１５を取り付けることなく、切断ユニット３１のみを出力軸１４に取り付けて、刈り払い作業を行うこともできる。図８に示すように、刃押え金具１８の凹部１８ｃの軸方向の深さ寸法はベース１６の凸部１６ｂの軸方向への高さ寸法よりも大きくなっているので、刈刃１５が刃受け金具１７と刃押え金具１８との間に挟み込まれなくても、ベース１６の凸部１６ｂが刃押え金具１８の凹部１８ｃに入り込んで、刃押え金具１８を刃受け金具１７の側に移動させて、押え面１８ｂを受け面１７ｂに当接させて切断ユニット３１を出力軸１４に確実に固定することができる。
【００４４】
このように、出力軸１４に刈刃１５を取り付けることなく、切断ユニット３１のみを出力軸１４に取り付けることにより、刈刃１５がフェンスに当たることを心配することなく、フェンスのツルや壁面の草を取り除く作業をさらに容易且つ安全に行うことができる。
【００４５】
以上説明した実施の形態においては、切断ユニット３１の基盤３２を刃押え金具１８と一体に形成するようにしているが、図９に示すように、切断ユニット３１の基盤３２は、刃押え金具１８と別体に構成することもできる。
【００４６】
この場合、切断ユニット３１の基盤３２は鋼材等により刃押え金具１８と同径の円板状に形成され、刃押え金具１８に対して刈刃１５とは反対側に重ねて配置され、出力軸１４の雄ねじ１４ａにねじ結合するナット１９により刃押え金具１８とともに出力軸１４に固定される。また、ナット１９や出力軸１４を保護するためのガード壁４３は、基盤３２の刈刃１５とは反対側を向く固定面３２ａに一体に設けられ、各ワイヤ３３ａ，３３ｂ，３３ｃは基盤３２の固定面３２ａに固定される。
【００４７】
図９に示す構造では、切断ユニット３１を出力軸１４から取り外して、刈刃１５のみを刃受け金具１７と刃押え金具１８との間に挟み込んで出力軸１４に取り付けることができる。また、必要に応じて、ナット１９と刃押え金具１８との間に基盤３２を挟み込むだけの簡単な作業で刈刃１５に加えて切断ユニット３１を出力軸１４に取り付けることができる。さらに、刈刃１５を取り付けずに切断ユニット３１のみを出力軸１４に取り付けることもできる。このように、必要に応じて切断ユニット３１の出力軸１４に着脱することができる。
【００４８】
本発明は前記実施の形態に限定されるものではなく、その要旨を逸脱しない範囲で種々変更可能であることは言うまでもない。
【００４９】
例えば、前記実施の形態においては、切断ユニット３１のワイヤ３３ａ，３３ｂ，３３ｃはそれぞれ屈曲し、両端が固定面３２ａに固定される構造となっているが、それぞれの部材が間隔をもって配置されていれば、これに限らず、それぞれが直線であり、また、片持ち支持されるものであっても良い。
【００５０】
また、切断ユニット３１は、線材としてのワイヤ３３ａ，３３ｂ，３３ｃを有する構成としたが、出力軸１４の軸方向面の草を取り除くものであれば、これに限らず、例えば固定面３２ａから一体に突出する突起により構成されていても良い。この場合、突起は出力軸１４の先端より軸方向に突出するものであれば、傾斜した方向に延びるものであってもよい。
【００５１】
また、刃受け金具１７、刃押え金具１８および刈刃１５を、出力軸１４の先端に設けられた雄ねじ１４ａにねじ結合するナット１９により出力軸１４に固定するようにしているが、これに限らず、刃押え金具１８の貫通孔１８ａをねじ孔として構成し、刃押え金具１８を出力軸１４の雄ねじ１４ａに直接ねじ結合させて、刃受け金具１７、刃押え金具１８および刈刃１５を出力軸１４に固定する構成としてもよい。
【００５２】
また、前記実施の形態においては、線材として３本のワイヤ３３ａ，３３ｂ，３３ｃを用いているが、これに限らず、例えばピアノ線、ナイロンコード等、湾曲方向に弾性変形可能で草等を切断可能な線材であれば他の材質の線材を用いるようにしてもよい。また、ワイヤ３３ａ，３３ｂ，３３ｃの本数は３本に限らず、任意の本数を設けるようにしてもよい。さらに、ワイヤ３３ａ，３３ｂ，３３ｃの固定面３２ａへの配置は、その両端を固定面３２ａの出力軸１４を中心とした点対称の位置に固定する配置に限らず、ワイヤ３３ａ，３３ｂ，３３ｃが、互いにその中間部の一部が重なるように周方向に並べて配置されていれば他の配置としてもよい。
【００５３】
さらに、前記実施の形態においては、駆動源としてエンジン２１が用いられているが、駆動源として電動モータを用いるようにしてもよい。駆動源として電動モータを用いる場合には、電動モータを刈刃１５と同軸にギヤケース１３に固定してもよい。この場合、操作棹１２の後端にバッテリを装着するようにしてもよい。
【符号の説明】
【００５４】
１１  刈払機
１２  操作棹
１３  ギヤケース（ケース）
１４  出力軸
１４ａ  雄ねじ
１５  刈刃
１５ａ  鋸刃
１５ｂ  取付孔
１６  ベース
１６ａ  支持面
１６ｂ  凸部
１７  刃受け金具
１７ａ  貫通孔
１７ｂ  受け面
１７ｃ  フランジ部
１８  刃押え金具（基盤）
１８ａ  貫通孔
１８ｂ  押え面
１８ｃ  凹部
１９  ナット
２１  エンジン（駆動源）
２２  ループハンドル
２３  ガード板
３１  切断ユニット
３２  基盤
３２ａ  固定面
３３ａ，３３ｂ，３３ｃ  ワイヤ（線材）
４１  フェンス
４２  ツル（被切断物）
４３  ガード壁
【図１】
2013059289.tif 000003
【図２】
2013059289.tif 000004
【図３】
2013059289.tif 000005
【図４】
2013059289.tif 000006
【図５】
2013059289.tif 000007
【図６】
2013059289.tif 000008
【図７】
2013059289.tif 000009
【図８】
2013059289.tif 000010
【図９】
2013059289.tif 000011